(57)【要約】【課題】眼底観察撮影時における顎支持部材の移動を禁止し、アライメントを的確に行うことができる眼科撮影装置を提供する。【解決手段】基台１上には位置調節可能なステージ部３が構設され、ステージ部３の検者側には、観察部位の前眼部又は眼底部を切換えるための前眼眼底切換スイッチ８と、被検眼と光学部４との位置合わせを行う位置調節レバー９と撮影スイッチ１０から成る操作桿と、固視灯の投影位置を変更するための固視灯調節スイッチ１１と顎支持部材２ｂを上下動させる操作スイッチ１２とから成る小型操作桿が設けられている。前眼眼底切換スイッチ８の入力により、機能制御部は操作スイッチ１２の入力を無効とし、顎支持部材２ｂの上下動を禁止する。これにより、眼底観察中に検者は誤って顎支持部材２ｂを上下動させることがなくなり、安定したアライメント操作を行うことができる。【選択図】        図１
2004180707.tif 000002
【特許請求の範囲】
【請求項１】
被検眼を観察撮影するための照明光学系と、眼底を観察撮影する撮影光学系と、一部を前記撮影光学系と共通し挿脱可能な補助光学系を介して被検眼の前眼部を観察する前眼部観察光学系と、上下動可能な被検者の顔支持部材と、眼底観察撮影時に前記顔支持部材の上下動を禁止する禁止手段とを備えたことを特徴とする眼科撮影装置。
【発明の詳細な説明】
【０００１】
【発明の属する技術分野】
本発明は、眼科医院や集団検診等において使用される眼科撮影装置に関するものである。
【０００２】
【従来の技術】
従来から、無散瞳眼底カメラ等の眼科撮影装置において被検者の眼底部を観察撮影する場合には、被検眼と眼底カメラの光学系との位置を合わせるために、被検者の顔支持部材と眼底カメラの光学系の位置調整をすることにより、被検眼と光学系の位置を合わせた後に、前眼部観察用光学系を眼底カメラの光路に挿入して被検眼の前眼部像を眼底部像位置と共役な位置に形成し、眼底部観察用テレビカメラと同一のテレビカメラを用いてアライメントを行う。
【０００３】
次に、検者が前眼眼底切換スイッチを操作することにより、前眼部観察用光学系を眼底カメラの光路から離脱させ、テレビカメラやファインダを用いて眼底部像のフォーカスを合わせた後に、観察・撮影を行っている。
【０００４】
【発明が解決しようとする課題】
しかしながら上述の従来例においては、検者が手元のスイッチを操作することにより、顔支持部材を上下動できるようにされている場合には、眼底部のアライメントを行っている際に、誤ってそのスイッチを操作してしまい、アライメントが大きくずれてしまうことがある。その場合には、再度、前眼眼底切換スイッチを押し、前眼部に戻って再度アライメントをやり直さなくてはならない。
【０００５】
本発明の目的は、上述の問題点を解消し、眼底観察撮影時における顎支持部材の移動を禁止し、アライメントを的確に行うことができる眼科撮影装置を提供することにある。
【０００６】
【課題を解決するための手段】
上記目的を達成するための本発明に係る眼科撮影装置は、被検眼を観察撮影するための照明光学系と、眼底を観察撮影する撮影光学系と、一部を前記撮影光学系と共通し挿脱可能な補助光学系を介して被検眼の前眼部を観察する前眼部観察光学系と、上下動可能な被検者の顔支持部材と、眼底観察撮影時に前記顔支持部材の上下動を禁止する禁止手段とを備えたことを特徴とする。
【０００７】
【発明の実施の形態】
本発明を図示の実施の形態に基づいて詳細に説明する。
図１は第１の実施の形態における無散瞳眼底カメラの斜視図を示しており、基台１の被検者側には額支持部材２ａと顎支持部材２ｂとが顔支持部材として取り付けられ、基台１上には前後、左右、上下方向に位置調節可能なステージ部３が構設されている。ステージ部３上には、眼底カメラの光学部４とテレビモニタ５が載置され、光学部４には撮影フィルムを備えたカメラ６が装着され、ピント合わせ操作を行うフォーカスレバー７が取り付けられている。
【０００８】
また、ステージ部３の検者側には、観察部位の前眼部又は眼底部を切換えるための前眼眼底切換スイッチ８と、被検眼と光学部４との位置合わせを行う位置調節レバー９と撮影スイッチ１０から成る操作桿と、固視灯の投影位置を変更するための固視灯調節スイッチ１１と顎支持部材２ｂを上下動させる操作スイッチ１２とから成る小型操作桿が設けられている。
【０００９】
図２は光学部４の構成図を示し、被検眼Ｅの前方の光路Ｏ１上には、対物レンズ２１、光路Ｏ１から挿脱可能な補助レンズ２２、中心開口を有する孔あきミラー２３、光路Ｏ１方向に可動可能なフォーカシングレンズ２４、撮影レンズ２５、撮影時に上方に跳ね上がる切換ミラー２６、カメラ６内のフィルム２７が順次に配列されている。これらの光学部材及びテレビモニタ５により観察撮影光学系が構成されている。
【００１０】
孔あきミラー２３の入射方向の光路Ｏ２上には、孔あきミラー２３側から角膜バッフル２８、リレーレンズ２９、３０、水晶体バッフル３１、円環状開口を有するリングスリツト３２、コンデンサレンズ３３、キセノン管等から成る撮影用光源３４、コンデンサレンズ３５、赤外光が透過する赤外フィルタ３６、ハロゲンランプ等から成る観察用光源３７、凹面反射鏡３８が順次に配列され、照明光学系が構成されている。
【００１１】
また、切換ミラー２６の反射方向の光路Ｏ３上には、フィールドレンズ３９、ハーフミラー４０、レンズ４１、部分的にシャッタを開閉して光束の透過領域を形成する液晶シャッタ４２、固視灯光源４３が順次に配列され、固視灯投影光学系を構成されている。
【００１２】
ハーフミラー４０の反射方向の光路Ｏ４上には、テレビレンズ４４、赤外テレビカメラ４５が配置され、この赤外テレビカメラ４５の出力はテレビモニタ５に接続されている。なお、眼底Ｅｒとフィールドレンズ３９付近の像面Ｆ、赤外テレビカメラ４４の撮像面Ｆ’、液晶シャッタ４２とは略共役な関係になるようにされている。
【００１３】
眼底カメラの動作の制御を行うための機能制御部５０が設けられ、この機能制御部５０には、前眼眼底切換スイッチ８、撮影スイッチ１０、固視灯調節スイッチ１１、操作スイッチ１２、顎支持部材２ｂの駆動手段、補助レンズ２２、切換ミラー２６、撮影用光源３４、観察用光源３７、液晶シャッタ４２、固視灯光源４３が接続されており、機能制御部５０は上述の４個の前眼眼底切換スイッチ８、撮影スイッチ１０、固視灯調節スイッチ１１、操作スイッチ１２の出力に応じて、顎支持部材２ｂを図示しない駆動手段により上下動制御するようにされている。
【００１４】
上述の構成において、先ず被検眼Ｅの眼底Ｅｒの撮影準備として、前眼部観察モードにおいて被検眼Ｅと眼底カメラの光学部４との間のラフアライメントを行う。このとき、液晶シャッタ４１は被検眼Ｅの眼底Ｅｒと略共役な平面に配置されており、この液晶シャッタ４１に形成された透過領域を透過する光束が、被検眼Ｅに固視目標として投影される。また、液晶シャッタ４１に形成された透過領域は、固視灯調節スイッチ１１によりその位置、範囲を変更することができ、被検眼Ｅの眼底Ｅｒを所望の撮影部位に誘導することができる。
【００１５】
検者は被検者を対物レンズ２１の正面に着座させ、被検者の顔を額支持部材２ａ、顎支持部材２ｂに固定し、被検眼Ｅと対物レンズ２１が対向するように操作スイッチ１２を操作して駆動手段により顎支持部材２ｂを上下動させ、一方で位置調節レバー９によりステージ部３を移動し、光学部４の光路Ｏ１が被検眼Ｅに略一致するように粗調節する。なお、この際には補助レンズ２２は光路Ｏ１上に挿入されている。
【００１６】
次に、前眼眼底切換スイッチ８を押すと、補助レンズ２２は光路Ｏ１から離脱し、眼底面にほぼピントが合う。この前眼眼底切換スイッチ８の入力により、機能制御部５０は操作スイッチ１２の入力を無効とし、顎支持部材２ｂの上下動を禁止する。これにより、検者は眼底観察中に誤って顔支持部材２６を上下動させることがなくなり、安定したアライメント操作を行うことができる。
【００１７】
図３は顎支持部材２ｂを上下動する機構部の概略図を示して、支持軸５１には取付台５２を介して顎支持部材２ｂが設けられており、取付台５２はつまみ５３により支持されている。支持軸５１にはねじ部材５４が取り付けられ、つまみ５３の内側のねじ部材５５が螺合されている。更に、つまみ５３の下部には制動保持部材５６を介して、支持軸５１に対するパットなどから成る保持部材５７が取り付けられている。
【００１８】
上述の構成において、前眼部観察時の前述のラフアライメントにおいて、つまみ５３を回転させることにより取付台５２上にある顎支持部材２ｂを上下動し、被検眼Ｅの位置を調整する。眼底観察撮影を行うため、前眼眼底切換スイッチ８を押すと、図示しない駆動手段が保持部材５７を支持軸５１に押し付けることにより、つまみ５３の回転を不可能とすることによって、顎支持部材２ｂは上下動が不可能となる。
【００１９】
本実施の形態においては、顎支持部材２ｂの上下動を禁止とする禁止手段として、保持部材５７を使用しているが、顎支持部材２ｂの上下動機構に合わせて最適な制動手段を用いればよく、例えば磁力や空気圧等を用いてもよい。
【００２０】
また、眼底観察撮影モードへの移行を前眼眼底切換スイッチ８への入力によって判定しているが、補助レンズ２２の挿脱を検知する手段を設け、その検知結果に応じて眼底観察撮影モードか前眼部観察モードかの判別を行うこともできる。
【００２１】
図４は第２の実施の形態における光学部４の構成図を示している。赤外テレビカメラ４５とテレビカメラ５の間に、機能制御部５０に接続された画像信号処理部４６が設けられており、第１の実施の形態と同一の部材には同一の符号を付している。
【００２２】
図５（ａ）はテレビモニタ５に表示した前眼部観察時の被検眼像を示し、図５（ｂ）は眼底観察時の被検眼像を示している。前眼部と眼底部との画像は大きく異なる特長を有しているため、観察中の画像が眼底部であるか前眼部であるかの比較判断が可能である。
【００２３】
そこで、観察中の被検眼画像の画像信号を画像信号処理部４６で演算処理することにより、観察中の部位が前眼部か眼底部の何れであるかを判断する。画像信号処理部４６で眼底観察中であると判断された場合には、機能制御部５０は顎支持部材２ｂの上下動を禁止すればよい。
【００２４】
本発明の実施の形態の幾つかを、次に列挙する。
【００２５】
［実施の形態１］  被検眼を観察撮影するための照明光学系と、眼底を観察撮影する撮影光学系と、一部を前記撮影光学系と共通し挿脱可能な補助光学系を介して被検眼の前眼部を観察する前眼部観察光学系と、上下動可能な被検者の顔支持部材と、眼底観察撮影時に前記顔支持部材の上下動を禁止する禁止手段とを備えたことを特徴とする眼科撮影装置。
【００２６】
［実施の形態２］  前記顔支持部材の上下動操作の入力手段と、前記補助光学系の挿脱駆動手段とを有し、該挿脱駆動手段への出力に応じて前記顔支持部材の上下動操作入力手段を無効とすることを特徴とする実施の形態１に記載の眼科撮影装置。
【００２７】
［実施の形態３］  前記顔支持部材の上下動を制動する制動手段を有することを特徴とする実施の形態１に記載の眼科撮影装置。
【００２８】
［実施の形態４］  前記補助光学系の挿脱を検知する検知手段を有し、該検知手段による検知結果に基づいて前記禁止手段を作動することを特徴とする実施の形態１に記載の眼科撮影装置。
【００２９】
［実施の形態５］  被検眼観察画像の画像信号より眼底画像であることを判定する判定手段を有し、該判定手段の判定結果に基づいて前記禁止手段を作動することを特徴とする実施の形態１に記載の眼科撮影装置。
【００３０】
【発明の効果】
以上説明したように本発明に係る眼科撮影装置は、眼底観察モード時において顔支持部材の上下動を禁止するため、アライメントずれが発生せず、的確な眼底観察撮影を行うことができる。
【図面の簡単な説明】
【図１】第１の実施の形態における眼科撮影装置の斜視図である。
【図２】光学部の構成図である。
【図３】顔支持部材の上下動機構の構成図である。
【図４】第２の実施の形態における光学部の構成図である
【図５】被検眼の観察画像の説明図である。
【符号の説明】
１  基台
２ａ  額支持部材
２ｂ  顎支持部材
３  ステージ
４  光学部
５  テレビモニタ
８  前眼眼底切換スイッチ
９  位置調整レバー
１０  撮影スイッチ
１１  固視灯調節スイッチ
１２  操作スイッチ
２１  対物レンズ
２２  補助レンズ
３４  撮影光源
３７  観察光源
４７  画像信号処理部
５０  機能制御部
５１  支持軸
５２  取付台
５３  つまみ
５７  制御部材
【図１】
2004180707.tif 000003
【図２】
2004180707.tif 000004
【図３】
2004180707.tif 000005
【図４】
2004180707.tif 000006
【図５】
2004180707.tif 000007